(57)【要約】【課題】  コンピュータ装置等に電源を供給する電源装置に関し、停電時に十分な量の電源供給が行えるとともに構成が簡易で経済性にも優れた電源装置及びこれを内蔵したコンピュータ装置を提供することを課題とする。【解決手段】  交流電源から供給される交流電圧を整流する整流器と、この整流器に接続される平滑コンデンサ４、この平滑コンデンサとは抵抗器を介して並列に接続され、上記平滑コンデンサより容量が大きい電圧保持コンデンサ６及びこの電圧保持コンデンサに接続されるダイオード１０が設けられ直流電源を供給する電圧安定化回路１と、上記電圧保持コンデンサに放電抵抗器を介して接続され、この電圧保持コンデンサ６に蓄積された電荷を上記直流電源の供給を停止する時点で放電する放電回路５，９と、を有する構成である。【選択図】  図１
2006238523.tif 000002
【特許請求の範囲】
【請求項１】
交流電源から供給される交流電圧を整流する整流器と、
この整流器に接続される平滑コンデンサ、この平滑コンデンサとは抵抗器を介して並列に接続され、上記平滑コンデンサより容量が大きい電圧保持コンデンサ及びこの電圧保持コンデンサに接続されるダイオードが設けられ直流電源を供給する電圧安定化回路と、
上記電圧保持コンデンサに放電抵抗器を介して接続され、この電圧保持コンデンサに蓄積された電荷を上記直流電源の供給を停止する時点で放電する放電回路と、を有することを特徴とする電源装置。
【請求項２】
上記放電回路に、トリガー信号をゲートに印加することにより上記電圧保持コンデンサの電荷を放電するスイッチング素子を上記放電抵抗器と直列に接続し、上記直流電源の供給を停止する時点で発生されるトリガー信号を、上記スイッチング素子のゲートに印加し、上記電圧保持コンデンサに蓄積された電荷を放電することを特徴とする請求項１記載の電源装置。
【請求項３】
上記放電回路のスイッチング素子としてサイリスタ又はＭＯＳ型のＦＥＴを用いる一方、上記放電抵抗器としてソリッド抵抗器又はセラミック抵抗器を用いたことを特徴とする請求項２記載の電源装置。
【請求項４】
上記電圧保持コンデンサの端子に、この電圧保持コンデンサに蓄積された電荷により発光する表示器を接続したことを特徴とする請求項１乃至請求項３の何れかに記載の電源装置。
【請求項５】
上記ダイオードと上記電圧保持コンデンサとの間に過電流防止器を介在させたことを特徴とする請求項１乃至請求項４の何れかに記載の電源装置。
【請求項６】
請求項１乃至請求項５の何れかに記載の電源装置を内蔵して直流電源の供給を受ける一方、上記直流電源の供給を停止させる時点でトリガー信号を発生させ、このトリガー信号を上記放電回路のスイッチング素子のゲートに印加して、上記電圧保持コンデンサの放電を行なわせることを特徴とするコンピュータ装置。
【発明の詳細な説明】
【技術分野】
【０００１】
本発明は、停電時に所定時間電源のバックアップ供給が行える電源装置及びこれを内蔵したコンピュータ装置に関する。
【背景技術】
【０００２】
コンピュータ装置等の稼動中に不慮の電源事故、即ち停電、瞬間的な停電、電圧降下などが発生した場合、コンピュータ装置は適切なシャットダウン処理をしないと、ファイルの破損、損失、甚だしい場合はハードディスクの破損等が起きる可能性がある。上記電源事故を防止するために、例えば特許文献１に示す電源装置が開示されている。この電源装置は電源回路に容量の大きな電源コンデンサを設け、停電時にはこの電源コンデンサに蓄積された電荷で出力電圧保持時間を長くし、復電時には直ちに所定電圧で電源を供給する試みである。特許文献２にも、電源システムのバックアップ回路についての開示がある。
【０００３】
また、本願出願人は、先に、停電に対処した電源装置の発明についての特許出願（特願２００４−３２８７９７号）を行なった。この電源装置は、図６に示すように、電圧安定化回路５１、電圧変換回路６４及び停電検出回路６２を有し、無停電装置として供給先のコンピュータ装置等に安定的に直流電源を供給する。
【０００４】
上記電圧安定化回路５１は、全波整流用の整流器５２、平滑コンデンサ５４、電荷を蓄電保持する電圧保持コンデンサ５６、抵抗器５８及びダイオード６０を有する。上記電圧保持コンデンサ５６は、上記平滑コンデンサ５４とは抵抗器５８を介して並列に接続され、またこの電圧保持コンデンサ５６に蓄積された電荷はダイオード６０を介して出力される。
【０００５】
このように、上記電圧安定化回路５１では、平滑コンデンサ５４と電圧保持コンデンサ５６とにコンデンサを分離し、これにより平滑コンデンサ５４を小容量に形成して主に平滑のための機能を持たせる一方、電圧保持コンデンサ５６を大容量に形成して停電時に十分な蓄積電荷を供給する。上記電圧保持コンデンサ５６は抵抗器５８を介して充電される。停電時には、平滑コンデンサ５４の電荷は直ぐに放電してしまうが、電圧保持コンデンサ５６の電荷はダイオード６０を介して十分な時間出力されるために、電源供給先のコンピュータ装置は、停電時において安全にシャットダウン動作ができる。
【０００６】
【特許文献１】特開昭６２−２７７０３４号公報
【特許文献２】実開平６−９３４６号公報
【発明の開示】
【発明が解決しようとする課題】
【０００７】
さて、特に上記大容量の電圧保持コンデンサ５６に充電された電荷については、電源ＯＦＦ時に大きな電荷が残留することがあり、この電荷が高電圧の場合には、メンテナンス技術者等がコンピュータのカバー、或いは電源のカバーを開けて作業を行う際、感電の虞れ等作業上の安全性についての問題がある。また、電源装置の残留電荷の有無を認知させる方策も望まれる。
【０００８】
本発明は上記問題点を解決するためになされたものであり、安定して電源の供給が行なえるとともに安全性に優れた電源装置及びこれを内蔵したコンピュータ装置を提供することを目的とする。
【課題を解決するための手段】
【０００９】
以上の技術的課題を解決するため、本発明に係る電源装置は、図１，２に示すように、交流電源から供給される交流電圧を整流する整流器と、この整流器に接続される平滑コンデンサ４、この平滑コンデンサとは抵抗器を介して並列に接続され、上記平滑コンデンサより容量が大きい電圧保持コンデンサ６及びこの電圧保持コンデンサに接続されるダイオード１０が設けられ直流電源を供給する電圧安定化回路１と、上記電圧保持コンデンサに放電抵抗器を介して接続され、この電圧保持コンデンサ６に蓄積された電荷を上記直流電源の供給を停止する時点で放電する放電回路５，９と、を有する構成である。
【００１０】
本発明に係る電源装置は、上記放電回路５，９に、トリガー信号をゲートに印加することにより上記電圧保持コンデンサの電荷を放電するスイッチング素子１４，１８を上記放電抵抗器と直列に接続し、上記直流電源の供給を停止する時点で発生されるトリガー信号を、上記スイッチング素子のゲートに印加し、上記電圧保持コンデンサ６に蓄積された電荷を放電する構成である。
【００１１】
本発明に係る電源装置は、上記放電回路のスイッチング素子としてサイリスタ又はＭＯＳ型のＦＥＴを用いる一方、上記放電抵抗器としてソリッド抵抗器又はセラミック抵抗器を用いた構成である。
【００１２】
本発明に係る電源装置は、上記電圧保持コンデンサ６の端子に、この電圧保持コンデンサに蓄積された電荷により発光する表示器４４を接続した構成である。
【００１３】
本発明に係る電源装置は、上記ダイオードと上記電圧保持コンデンサとの間に過電流防止器１１を介在させた構成である。
【００１４】
本発明に係るコンピュータ装置は、上記何れかに記載の電源装置を内蔵して直流電源の供給を受ける一方、上記直流電源の供給を停止させる時点でトリガー信号を発生させ、このトリガー信号を上記放電回路のスイッチング素子のゲートに印加して、上記電圧保持コンデンサの放電を行なわせる構成である。
【発明の効果】
【００１５】
本発明に係る電源装置によれば、平滑コンデンサとは抵抗器を介して並列に接続される電圧保持コンデンサが設けられ直流電源を供給する電圧安定化回路と、この電圧保持コンデンサに蓄積された電荷を直流電源の供給を停止する時点で放電する放電回路と、を有する構成を採用したから、停電時には電圧保持コンデンサから電源供給先のコンピュータ装置等に終了処理を行う時間十分な電源が供給され、併せて電源供給の停止の際には、電圧保持コンデンサに充電された電荷が速やかに放電され、メンテナンス等の際に技術者が修理等を行う場合に感電する虞もなくなり安全であるという効果がある。
【００１６】
本発明に係る電源装置によれば、放電回路に、スイッチング素子を放電抵抗器と直列に接続し、直流電源の供給を停止する時点で発生されるトリガー信号を、スイッチング素子のゲートに印加し電荷を放電する構成としたから、正確かつ速やかに電荷の放電が行えるという効果がある。
【００１７】
本発明に係る電源装置によれば、放電回路のスイッチング素子としてサイリスタ又はＭＯＳ型のＦＥＴを用いる一方、放電抵抗器としてソリッド抵抗器又はセラミック抵抗器を用いた構成としたから、信頼性の高い放電回路が得られるという効果がある。
【００１８】
本発明に係る電源装置によれば、電圧保持コンデンサの端子に表示器を接続した構成としたから、電荷の残留が確認できて注意の喚起が行え安全対策が図れるという効果がある。
【００１９】
本発明に係る電源装置によれば、ダイオードと電圧保持コンデンサとの間に過電流防止器を介在させた構成としたから、このダイオードが有効に保護されるという効果がある。
【００２０】
本発明に係るコンピュータ装置によれば、上記何れかに記載の電源装置を内蔵し、直流電源の供給を停止する時点で発生させたトリガー信号をスイッチング素子のゲートに印加して、電圧保持コンデンサの放電を行なわせる構成としたから、停電時には電圧保持コンデンサからコンピュータ装置に終了処理を行う時間十分な電源が供給され、併せて電源供給の停止の際には、電圧保持コンデンサに充電された電荷が速やかに放電され、メンテナンス等の際に技術者が修理等を行う場合に感電する虞もなくなり安全であるという効果がある。
【発明を実施するための最良の形態】
【００２１】
以下、本発明に係る電源装置の実施の形態を図面に基づいて説明する。
図１は、この実施の形態に係る電源装置を示したものであり、コンピュータ装置に内蔵されている。上記電源装置は、電圧安定化回路１、放電回路５及び図示しない電圧変換回路、停電検出回路を有し、停電時に所定時間電源のバックアップ供給が行える電源装置として供給先のコンピュータ装置内部の各回路に電源を供給する。
【００２２】
上記電圧安定化回路１は、ブリッジ型の全波整流用の整流器２、平滑コンデンサ４、電荷を蓄電保持する電圧保持コンデンサ６、抵抗器３，８及びダイオード１０を有する。交流電源（ＡＣ）とは直列に上記抵抗器３が接続され、突入電流を防止している。上記平滑コンデンサ４は整流器２の出力側に接続され、主に平滑の目的で用いられ通常の平滑回路で用いられる平滑コンデンサと同程度の容量である。
【００２３】
上記電圧保持コンデンサ６は、平滑コンデンサ４とは充電電流制御用の抵抗器８を介して並列に接続され、またこの電圧保持コンデンサ６に蓄積された電荷は、上記抵抗器８と並列に接続されたダイオード１０を介して出力される。上記平滑コンデンサ４及び上記電圧保持コンデンサ６の電荷は電圧出力端子２２から出力され、この電圧出力端子２２には電圧変換回路が接続される。この電圧変換回路は、直流電圧をＤＣ−ＤＣ変換により所定の直流電圧に降圧する回路であり、必要な電圧に変換してコンピュータ装置に電源を供給する。
【００２４】
このように、上記電圧安定化回路１は、平滑コンデンサ４と電圧保持コンデンサ６とにコンデンサを分離し、これにより平滑コンデンサ４を小容量に形成して主に平滑のための機能を持たせる一方、電圧保持コンデンサ６を大容量に形成して、停電時には蓄積された電荷を直流電源として供給する。上記電圧保持コンデンサ６は抵抗器８を介してゆっくり充電され、これにより電荷が蓄積されてない起動時に、電圧保持コンデンサ６に対して過大な突入電流が発生するのを防止する。さらに、コンピュータ装置の電源ＯＦＦ後は、上記電圧保持コンデンサ６には電荷が多く残留する。このため、この残留電荷によりメンテナンス等の際に安全上の支障をきたさないよう、この実施の形態に係る電源装置では上記放電回路５が設けられている。
【００２５】
通常、例えば上記平滑コンデンサ４の容量は１００μＦ〜３００μＦ、また上記電圧保持コンデンサ６の容量は１０００μＦ〜３００００μＦの範囲で使用される。この容量はさらに高くすることも可能である。このように、上記電圧保持コンデンサ６の容量は、上記平滑コンデンサ４の容量より相当大きく（１０倍〜３００倍程度に）形成することができるが、実用的には１０倍〜１００倍程度、また十分な電圧保持時間を確保するためには２０倍〜１００倍程度が適当である。この実施の形態では、上記電圧保持コンデンサ６の容量は１００００μＦ、平滑コンデンサ４は１００μＦのものを使用している。
【００２６】
また、上記電圧保持コンデンサ６の充電時間は、抵抗器８の抵抗値を加減することで調節可能である。この抵抗器８の抵抗値は、電源供給先のコンピュータ装置において、起動オペレーションシステムが起動処理を完了する時間内に充電を完了するように設定しておけば差し支えない。ここでは、上記抵抗器８の抵抗値を１ｋΩとしている。
【００２７】
停電時には、平滑コンデンサ４の電荷は直ぐに放電してしまうが、電圧保持コンデンサ６の電荷はダイオード１０を介して十分な時間出力されるために、電源供給先のコンピュータ装置は、停電時において安全にシャットダウン処理が行える。
【００２８】
上記放電回路５は図１に示すように、放電抵抗器１２、サイリスタ１４及び抵抗器１６を有する。放電抵抗器１２は放電の緩衝用に用いられ、抵抗器１６は誤動作防止用に用いられる。上記電圧保持コンデンサ６の出力端子には放電抵抗器１２の一端が接続され、この他端にはサイリスタ１４のアノード端子が接続され、サイリスタ１４のカソード端子はアース端子２６側に接続されている。
【００２９】
上記放電回路５において、サイリスタ１４のゲート端子には、トリガー信号端子２４からのトリガー信号が入力される。コンピュータ装置は、システムの終了処理のプロセスにおいて、上記電源装置から供給される直流電源のＯＦＦ処理後、制御回路によって放電トリガー信号が発生され、これが上記トリガー信号端子２４に送出される。一方、このトリガー信号がサイリスタ１４のゲート端子に入力されると、サイリスタ１４が導通状態となり、電圧保持コンデンサ６に蓄積されている電荷が放電抵抗器１２を経由して急速放電される。
【００３０】
この放電回路５で短時間に放電した場合、上記放電抵抗器１２（ここでの抵抗値は１００Ω）に多量の放電エネルギーが集中する。このため、瞬間的な耐エネルギー量が少ない一般の巻線抵抗器（セメント抵抗器）等は、形状を大きくして対処する必要がある。この巻線抵抗器に使用されているニクロム線等の金属線は、抵抗値の温度係数が正でありまた温度に対する線膨張係数が正であるため、過負荷になった場合に温度が更に上昇しさらに線膨張により放熱器となっている支持体から離れて終には融点を超えて断線に至り破壊するおそれがある。
【００３１】
このため、放電抵抗器１２としては抵抗値の温度係数の小さい材質の抵抗器が望まれ、また線膨張係数が小さく或いは負の材質の抵抗線であれば加熱器となっている支持体から離れることもない。したがって、上記放電抵抗器１２としてはソリッド抵抗器（体抵抗器）又はセラミック抵抗器などの抵抗器が適している。また、電圧保持コンデンサ６の容量が大きい場合（例えば一万μＦから数万μＦ）には、ダイオード１０の保護の為にこれと直列にヒューズ等の過電流防止器１１を介在させる。
【００３２】
図２は、他の形態の放電回路を有する電源装置を示したものである。この電源装置の電源供給に係る構成は上記電源装置と同様であるため、同一部分については同一の符号を付してここでの説明を省略する。この電源装置は電圧安定化回路１、放電回路９及び図示しない電圧変換回路を有し、無停電装置として供給先の電子装置（コンピュータ装置等）に安定的に直流電源を供給する。上記電圧安定化回路１は、ブリッジ型の全波整流用の整流器２、平滑コンデンサ４、電荷を蓄電保持する電圧保持コンデンサ６、抵抗器３，８及びダイオード１０を有する。
【００３３】
上記放電回路９は、放電抵抗器１２、抵抗器１６及びＭＯＳ型のＦＥＴ１８を有する。この放電抵抗器１２は放電の緩衝用に用いられ、抵抗器１６は誤動作防止用に用いられる。上記ＦＥＴ１８のゲート端子にはトリガー信号端子からの信号が入力される。上記電圧保持コンデンサ６の出力端子には放電抵抗器１２の一端が接続され、この他端にはＦＥＴ１８のソース端子が接続され、ＦＥＴ１８のドレイン端子はアース端子２６側に接続されている。このＦＥＴ１８は、ゲートに正電圧を加えることで導通する。
【００３４】
コンピュータ装置は、直流電源のＯＦＦ処理後、制御回路によって放電トリガー信号が発生され、このトリガー信号がＦＥＴ１８のゲート端子に入力されると導通状態となり、電圧保持コンデンサ６に蓄積されている電荷が放電抵抗器１２を経由して急速放電される。ＦＥＴ１８を導通状態にするには、上記正電圧の電位は４Ｖ以上必要であるが、好適には１０Ｖ位が望ましい。また、コンピュータ装置が終了する場合は、上記直流電源のＯＦＦ処理に伴い、所定の遮断機構によりＡＣ電源が整流器２との間で遮断され、次に電源オンの操作がされない限り、電源装置には電流は流れない。
【００３５】
図３に示す電源装置は、上記電圧安定化回路１に力率改善回路１３（ＰＦＣ回路：Power Factor Controller）及び残留電荷の表示回路２０を加えた回路図である。勿論、この電圧安定化回路１の電圧保持コンデンサ６の出力端子に、上記放電回路５，９を設けることは何ら差し支えない。この電源装置についても、上記電源装置と同一構成の部分については同一の符号を付して詳細な説明を省略する。この電圧安定化回路１は、力率改善回路１３を付加した電源回路で、電圧保持コンデンサ６には１０００μＦ、平滑コンデンサ４には１００μＦの容量のものを使用している。
【００３６】
上記容量の大きな電圧保持コンデンサ６を使用していることから、安全対策上、この電圧保持コンデンサ６の電荷の残留を確認するために残留電荷（所定電圧）を表示する表示回路２０を設ける。この表示回路２０は、表示器としての発光ダイオード（ＬＥＤ）４４及び抵抗器４６を有する。この発光ダイオード４４は、上記電圧保持コンデンサ６の出力端子に接続され抵抗器４６を介して接地されている。表示器としては、発光ダイオード以外にネオンランプ等がある。また、表示回路２０は、上記電圧保持コンデンサ６の残留電荷のみを表示する必要はなく、電圧出力端子２２に接続して平滑コンデンサ４を含めた全体の残留電荷を表示する構成としてもよい。
【００３７】
また、発光ダイオード４４を使用する場合は、回路の損失があるので１ｍＡ以下の電流になるように抵抗器４６を調整する。電圧保持コンデンサ６の容量が大きい場合には、ダイオード１０の保護の為に、これと直列にヒューズ等の過電流防止器１１を介在させてもよい。なお、過電流防止器１１が動作した時には、電圧出力端子２２では電圧保持コンデンサ６の電圧を直接表示できないため、発光ダイオード４４は電圧保持コンデンサ６の出力端子に直接接続する。
【００３８】
上記力率改善回路１３は力率を改善し高調波を規制する回路であり、コンデンサ３２、コイル３４、トランジスタによるスイッチング回路３６、抵抗器３８、ダイオード４０及びＩＣからなる電圧制限回路４２を有する。この力率改善回路１３は、交流電源（ＡＣ）を整流器２で整流し、コイル３４を通過してスイッチング回路３６でオン−オフされ、これによりコイル３４の逆起電力がダイオード４０を通して平滑コンデンサ４に蓄えられる。また、この平滑コンデンサ４の電圧が所定電圧（例えば３７０Ｖ）を超えないように電圧制限回路４２で制限され、出力される。
【００３９】
この力率改善回路１３を、上記整流器２と平滑コンデンサ４との間に介在させることで、電圧波形と近似する電流波形を人工的に作り、また高調波電流を抑制して力率を改善する。力率改善回路を用いた場合には、電圧が上昇する反面、電流が低く抑えられて回路の電力消費が低減され、さらに平滑コンデンサ４及び電圧保持コンデンサ６の電圧が高くなって電荷の蓄積効率も良くなる。また、電圧保持コンデンサ６の充電電圧が高いため、この電圧が低下して変換可能な低い電圧となる直前まで範囲で、必要な電圧の電源が電圧変換回路から供給できて効率が良い。
【００４０】
図４は、上記電源装置２１が内蔵されたコンピュータ装置のブロック図を示したものである。このコンピュータ装置は、ＣＰＵ部７０を中心に、主記憶装置としてのメモリ部７２、Ｉ／Ｏインタ−フェースコントローラ部７４（ＩＯＣ）、放電回路５が設けられた上記電源装置７６を有し、これにハードディスク装置７８（ＨＤ）、キーボード８０、及び液晶表示器８２が付属している。電源装置２１は、コンピュータ装置の各部に５Ｖ，３．３Ｖ等必要な直流電源を供給している。また、電源装置２１内には、停電検出回路が設けられ、停電の検出を行っている。そして、上記ＩＯＣ７４から電源装置７６に対して、放電の指示を行うトリガー信号が出力される。
【００４１】
次に、上記電源装置の動作について説明する。
この電源装置２１が内蔵されたコンピュータ装置は、交流電源（ＡＣ）を投入すると、整流器２を通過して平滑コンデンサ４の充電が開始され、続いて電圧保持コンデンサ６の充電が行なわれる。通常、平滑コンデンサ４の方が電圧保持コンデンサ６より電圧が高いため、平滑の作用は平滑コンデンサ４によって行なわれる。一般的にコンピュータ装置は、電源投入時からオペレーションシステムが起動を完了するまでは数十秒〜数分程度を必要とする。このため、上記起動の間に電圧保持コンデンサ６に充電が出来れば、起動後の電源供給に支障はない。
【００４２】
ここで、例えば交流電源の停電或いは瞬間的な（数十ｍｓ〜数百ｍｓ）停電等が発生した場合、停電検出回路は１０ｍｓ〜２０ｍｓ後にはこの停電を検出し、停電の検出信号をＣＰＵ部７０に通知する。そしてコンピュータ装置は、直ちにシャットダウン処理を開始する。一方、上記電圧安定化回路１は、平滑コンデンサ４に続いて電圧保持コンデンサ６からの放電が開始され、ダイオード１０を介して直流電源が直接にコンピュータ装置に供給され、シャットダウン処理が継続される。このように上記電源装置では、上記電圧保持コンデンサ６を非常に大きな容量に形成することができ、これにより停電時には十分な時間電源をコンピュータ装置に供給できる。
【００４３】
次に、上記電源装置２１が内蔵されたコンピュータ装置の終了処理プロセスについて説明する。コンピュータ装置の停電時の終了処理プロセスは、下記(1)〜(12)の手順で行われ、またコンピュータの正常終了時の終了処理プロセスは、動作プログラムの終了後に下記(6)〜(12)の手順で行われる。
(1)停電信号の発生
(2)停電日時の書込み（必要に応じて行う）
(3)重要情報の書込み（短時間で書込みは終了）
(4)動作プログラムの強制終了
(5)ディスクのアンマウント
(6)オペレーティングシステムの終了
(7)ディスクのヘッドの退避ゾーンへの退避完了
(8)１２Ｖ及び−１２Ｖの電源のＯＦＦ
(9)５Ｖ及び３．３Ｖ等のＣＰＵ電源のＯＦＦ
(10)放電トリガー信号の発生
(11)電圧保持コンデンサの放電開始
(12)電圧保持コンデンサの放電終了
【００４４】
コンピュータ装置は、シャットダウンプロセスが終了し直流電源のＯＦＦ時点（オペレーティングシステムのクローズ時点）で、これと並行してＣＰＵ部７０からの指示に基づき、ＩＯＣ７４に設けられたトリガー信号の発生回路から上記(10)放電トリガー信号が発生され、上記電源装置のトリガー信号端子２４にトリガー信号が送出される。上記放電回路５では、このトリガー信号がサイリスタ１４のゲート端子に入力されると、サイリスタ１４が導通状態となり、電圧保持コンデンサ６に蓄積されている電荷が放電抵抗器１２を経由して急速放電される。一方、上記放電回路９では、上記トリガー信号がＦＥＴ１８のゲート端子に入力されると、ＦＥＴ１８が導通状態となり、電圧保持コンデンサ６に蓄積されている電荷が放電抵抗器１２を経由して急速放電される。
【００４５】
また、上記電圧保持コンデンサ６を放電するタイミングは、コンピュータ装置をシャットダウンした後でなければならない。これは、停電時には電圧保持コンデンサ６に蓄えてある電荷でコンピュータ装置がシャットダウンプロセスに移り、オペレーションシステムがシャットダウンプロセスを完了し、ディスクをアンマウント（使用しない状態）してハードディスクのヘッドが待機ゾーンに移った時点に、上記放電を行うのが最適であるためである。
【００４６】
上記放電トリガー信号の発生は、オペレーティングシステムが動作している間はソフトウエアの指示で行うことが可能であり、またハードウエアで行っても良い。ソフトウエアで行う場合には、ＣＰＵ電源のＯＦＦ指示の命令と、放電トリガー信号の発生指示の命令とを同時に発生するようにプログラムで制御し、これを制御回路に指示する。また、ハードウェアで行う場合には制御回路において、検知した電源のＯＦＦ指示の信号に基づいて、放電トリガー信号を発生する論理回路により行うことが可能である。この場合、上記ソフトウエアとハードウエアの両者で、電圧保持コンデンサの放電を行わせるようにし、このように二重に放電制御することで、放電の確実性を高めるようにしても良い。
【００４７】
上記終了処理プロセスにより、電圧保持コンデンサに蓄積された電荷は全て放電され、その後の保守、ハード部材の交換等によりコンピュータ装置の筐体を分解した際に、電圧保持コンデンサには電荷の蓄積が無いため安全に作業が行える。なお、コンピュータ装置の終了処理プロセスにおいては、電源ＯＦＦの処理に伴い、所定の遮断機構によりＡＣ電源が遮断され、次に電源オンの操作がされない限り電源装置には電流は流れない。
【００４８】
通常コンピュータの稼動中は、上記電圧保持コンデンサ６は充電された状態であるため、上記発光ダイオード４４は常に発光している。ここで、コンピュータの終了時には、上記終了処理プロセスにより電源がＯＦＦされ、さらに放電トリガー信号により電圧保持コンデンサ６の電荷が放電され、また電圧保持コンデンサの電荷放出により発光ダイオード４４は自動的に消灯する。これにより、大容量の電圧保持コンデンサに電荷が残留することもなく、また残留電荷の確認が行えて電源装置の安全が確保できる。
【００４９】
また、何らかの原因で、電圧保持コンデンサの放電処理が行えないで電源をＯＦＦした場合、或いはコンピュータの稼動中に装置の筐体を分解したような場合には、電圧保持コンデンサには大きな電荷が残留し発光ダイオード４４は発光したままとなり、作業者に危険な状態であることを認知させ注意を促すことができる。この場合例えば、作業者は、回路内に設けられた手動で電圧保持コンデンサを短絡（放電抵抗器１２を介して）放電させるマニアルスイッチを操作し、手動で電圧保持コンデンサを放電させるようにしても良い。このとき電圧保持コンデンサが放電すると、上記発光ダイオード４４は消灯するので、作業者は安全確認が行える。
【００５０】
図５は、電圧保持コンデンサ６の放電中に電源が復帰した場合に、放電を中止する回路である。この回路は、電圧保持コンデンサ６の電荷をサイリスタ１４を介して放電中に電源が復帰した場合、リレー２８を用いてサイリスタ１４をオフする。このリレー２８は、電源が復帰したとき動作し、放電抵抗器１２とサイリスタ１４との接続を遮断する。このリレー２８に代えて、半導体を用いて同様な回路を構成してもよい。
【００５１】
従って、上記実施の形態に係る電源装置によれば、大容量の電圧保持コンデンサに充電された電荷が速やかに放電され、メンテナンス等の際に技術者等がコンピュータ装置のカバー、或いは電源のカバーを開けて修理等を行う場合に感電の虞もなくなり安全である。また、電荷の残留を表示する発光ダイオードにより、電荷が残留してないことが確認でき安心して作業が行えるという効果がある。
【図面の簡単な説明】
【００５２】
【図１】本発明の実施の形態に係る電源装置の回路図である。
【図２】実施の形態に係り他の放電回路を用いた電源装置を示す図である。
【図３】実施の形態に係り残留電荷の表示回路を設けた電源装置を示す図である。
【図４】実施の形態に係り電源装置が内蔵されたコンピュータ装置のブロック図である。
【図５】実施の形態に係り電源が復帰した場合にサイリスタをオフする回路図である。
【図６】従来例に係る電源装置の回路図である。
【符号の説明】
【００５３】
１  電圧安定化回路
４  平滑コンデンサ
５，９  放電回路
６  電圧保持コンデンサ
１０  ダイオード
１１  過電流防止器
４４  表示器（発光ダイオード）
【図１】
2006238523.tif 000003
【図２】
2006238523.tif 000004
【図３】
2006238523.tif 000005
【図４】
2006238523.tif 000006
【図５】
2006238523.tif 000007
【図６】
2006238523.tif 000008